(57)【要約】  高い精度で煙を検知することができる光電式煙感知器を提供する。  本願発明は、筺体内に流入した煙を光によって検知する光電式煙感知器に関する。本願発明は、上記筺体内の検出領域に臨ませて設けられ検査光を当該検出領域に出射する発光素子と、当該発光素子の検査光の光路からそれた位置で上記検出領域に臨ませて設けられ、上記検査光が煙に当たって散乱した散乱光を受光して煙を検知する受光素子と、上記筺体内に設けられ、上記発光素子から出射した検査光を、上記受光素子に入射しないようにそらせて反射させる反射部材とを備えた。
2013030918.tif 000002
【特許請求の範囲】
【請求項１】
筺体内に流入した煙を光によって検知する光電式煙感知器において、
上記筺体内の検出領域に臨ませて設けられ検査光を当該検出領域に出射する発光素子と、
当該発光素子の検査光の光路からそれた位置で上記検出領域に臨ませて設けられ、上記検査光が煙に当たって散乱した散乱光を受光して煙を検知する受光素子と、
上記筺体内に設けられ、上記発光素子から出射した検査光を、上記受光素子に入射しないようにそらせて反射させる反射部材とを備えたことを特徴とする光電式煙感知器。
【請求項２】
請求項１に記載の光電式煙感知器において、
上記反射部材が、上記検出領域を挟んで上記発光素子及び受光素子と対向する位置に設けられ、上記発光素子からの検査光を、上記受光素子に向かわない方向に反射させることを特徴とする請求項１に記載の光電式煙感知器。
【請求項３】
請求項１に記載の光電式煙感知器において、
上記反射部材が、上記検出領域を挟んで上記発光素子及び受光素子と対向する位置に設けられ、上記発光素子からの検査光を、上記検出領域に集まる方向に反射させることを特徴とする光電式煙感知器。
【請求項４】
請求項１に記載の光電式煙感知器において、
上記発光素子の光源の光量を増加させると共に指向性を強めたことを特徴とする光電式煙感知器。
【請求項５】
請求項１に記載の光電式煙感知器において、
上記発光素子と受光素子との間に設けられて当該発光素子からの検査光が直接当該受光素子に入射するのを防止する遮蔽板を、上記発光素子側に近づけ、且つ上記受光素子のレンズの焦点距離を短くして当該受光素子を上記遮蔽板から遠ざけて、当該受光素子の光入射角度を広げたことを特徴とする光電式煙感知器。
【請求項６】
請求項１に記載の光電式煙感知器において、
上記筺体内に、外乱光の侵入を防止して煙の侵入を許容するラビリンスを備え、当該ラビリンスの突起部及び上記受光素子の開口の突起部を無くしたことを特徴とする光電式煙感知器。
【請求項７】
請求項１に記載の光電式煙感知器において、
上記受光素子がレンズと共に受光素子収容部内に装着されると共に、当該受光素子収容部内の上記レンズの内側に傾斜部材が設けられ、
当該傾斜部材が、上記受光素子収容部内の上記レンズの周辺に入射した反射光を受光素子収容部外へ反射する傾斜面を備えたことを特徴とする光電式煙感知器。
【発明の詳細な説明】
【技術分野】
【０００１】
本発明は、発光素子及び受光素子を利用する光電式煙感知器に関するものである。
【背景技術】
【０００２】
光電式煙感知器は、空間の火災発生に伴う煙を検知するための機器である。具体的には、光電式煙感知器の筺体内に流入した煙を光によって検知する。このような光電式煙感知器は、室内空間や種々の装置内の空間に設置されて、その空間の煙を検知する。【０００３】
このような空間に設置される光電式煙感知器は、小型であることを要する。本出願人は、特許文献１において、小型の光電式煙感知器を提案した。この例を図１に基づいて概説する。なお、以下の説明においては、図１の状態を基準にして、上下左右としている。【０００４】
煙感知器１は、円筒部２と、円筒部２から上方に延びている平箱部３とから構成されている。【０００５】
円筒部２は、煙感知器１の内部への外乱光の進入を阻止しながら煙の侵入を許容して、煙を内部に導入させる機能を担っている。円筒部２の下面開口には、山形形状（頭部をカットした円錐形状）を有する山形ラビリンス４が設けられている。山形ラビリンス４は、その中央部が山形に盛り上がっていると共に、その周縁部に、煙の導入口として機能し且つ外乱光の進入を阻止する複数の開口５が設けられている。【０００６】
平箱部３は、おおむね直方体形状を有して、煙の検知機能を担っている。平箱部３の横幅は円筒部２の外径と同じになっており、円筒部２の中心軸と自己の中心軸とが一致するように、平箱部３は、円筒部２から上方に延びている。【０００７】
平箱部３の上部には側面小孔７が設けられている。この側面小孔７は、煙感知器１の内部から外部へ煙を導出する際の開口として機能するものである。すなわち、山形ラビリンス４の開口５や円筒部２の側面小孔(図示せず)から当該煙感知器１の内部に導入した煙を、平箱部３の側面小孔７から導出させるものである。なお、側面小孔７から煙感知器１の内部へ煙が流入する場合もある。【０００８】
煙感知器１の内部には、発光素子８及び受光素子９が設けられている。【０００９】
発光素子８は、平箱部３の筺体内の検出領域ＡＲに臨ませて設けられ、検査光を当該検出領域ＡＲに出射する素子である。発光素子８は、発光素子収容部１１によって、平箱部３の内部空間の上方（図１中の左上方）の位置に設けられている。発光素子収容部１１は、発光素子８から出射する検査光を前方へのみ出射させるように、発光素子８を収容している。発光素子収容部１１の前方には、光学的窓部１２が設けられている。【００１０】
受光素子９は、受光素子収容部１３によって、平箱部３の内部空間の左下方の位置に設けられている。受光素子収容部１３には、その底部に受光素子９を収容し、その上部に対物レンズ１４を取り付けている。【００１１】
受光素子９は、発光素子８の検査光の光路からそれた位置で、上記検出領域ＡＲに臨ませて設けられ、上記検査光が煙に当たって散乱した散乱光を受光して煙を検知する。具体的には、発光素子８の光軸と受光素子９の光軸とは、ほぼ１２０度程度の角度で交差するようになされており、その交差点近傍が煙の検出領域ＡＲとなっている。これにより、検出領域ＡＲに煙が存在すると、発光素子８からの検査光が煙で散乱し、その散乱光が受光素子９に到達して煙の存在を検知する。【００１２】
発光素子８と受光素子９との間（検出領域ＡＲの左隣の位置）には、発光素子８からの検査光が散乱することなく直接受光素子９に入射することを防止する遮蔽板１５が設けられている。【００１３】
受光素子収容部１３の右方には、２個のラビリンス片１７、１８が設けられている。ラビリンス片１７は、右上がり方向に傾斜させて形成され、下側からの空気流をその下面で右上方向に案内する。また、ラビリンス片１７の上方向の端部は左上方向に曲がっている。この端部は、上面に沿って上昇してきた空気流を検出領域ＡＲに向かうようにさせる機能を有する。ラビリンス片１８は、ラビリンス片１７に対して、左上の位置に、左上がり方向に傾斜させて形成されている。ラビリンス片１８は、下方からの直接の空気流や、受光素子収容部１３の下方傾斜面１３ａの傾斜に沿ってきた空気流などを左上方向に案内するものである。ラビリンス片１８の左上方向には、受光素子収容部１３の上方傾斜面１３ｂがある。受光素子収容部１３の上方傾斜面１３ｂに向かった空気流は、その傾斜面１３ｂにより検出領域ＡＲの方向に向かうことになる。【００１４】
平箱部３の側面小孔７の下端位置には、おおむね左方に延びるラビリンス片２０が設けられている。このラビリンス２０は、その中間位置から左上方向に向かうように折り曲げられている。検出領域ＡＲを通過し、さらに上昇しようとする空気流は、発光素子収容部１１の上部傾斜面１１ａとラビリンス片２０の下面傾斜面とによって絞り込まれて内部空間の上面に到達し、その後の空気流の圧力により、側面小孔７に向かい、側面小孔７から導出されるようになされている。なお、２１は防虫網である。また、ラビリンス片１７の下方には、ラビリンス片２２が設けられている。【００１５】
そして、上記山形ラビリンス４、受光素子収容部１３の下方傾斜面１３ａ、ラビリンス片１７，１８，２０，２２等により、外乱光の内部への進入を押さえている。【００１６】
以上の構成により、発光素子８からの検査光が検出領域ＡＲに出射される。このとき、遮蔽板１５で受光素子９へ検査光が直接入射するのを防止している。また、外乱光が山形ラビリンスの開口５又は側面小孔７から侵入しようとするが、この外乱光は、ラビリンス片１７，１８，２０，２２等で阻止される。【００１７】
この状態で、山形ラビリンスの開口５又は側面小孔７から煙が侵入すると、その煙は、ラビリンス片１７，１８，２０，２２等を通って検出領域ＡＲに侵入する。そして、発光素子８からの検査光が煙で散乱し、その散乱光が受光素子９に到達して煙の存在を検知する。
【特許文献１】国際公開ＷＯ２００６／１１２０８５号公報
【発明の開示】
【発明が解決しようとする課題】
【００１８】
上述した従来の光電式煙感知器により、火災発生に伴う煙を検知することができるが、煙の濃度が薄いときは、検知しづらくなる。即ち、煙が検出領域ＡＲに侵入すると、発光素子８からの検査光が煙で散乱し、その散乱光が受光素子９に到達して煙の存在を検知するが、煙の濃度が薄いと、検査光の散乱量が少なくなって、検知しづらくなる。【００１９】
このため、従来の光電式煙感知器よりも、さらに高い精度で煙を感知することができる光電式煙感知器が望まれる。【００２０】
本発明は、上記事情に鑑みなされたもので、小型で、且つさらに高い精度で煙を検知することができる光電式煙感知器を提供するものである。
【課題を解決するための手段】
【００２１】
かかる課題を解決するために、本発明は、筺体内に流入した煙を光によって検知する光電式煙感知器において、上記筺体内の検出領域に臨ませて設けられ検査光を当該検出領域に出射する発光素子と、当該発光素子の検査光の光路からそれた位置で上記検出領域に臨ませて設けられ、上記検査光が煙に当たって散乱した散乱光を受光して煙を検知する受光素子と、上記筺体内に設けられ、上記発光素子から出射した検査光を、上記受光素子に入射しないようにそらせて反射させる反射部材とを備えたことを特徴とする。
【発明の効果】
【００２２】
本発明によれば、高い精度で煙を検知することができるようになる。
【図面の簡単な説明】
【００２３】
【図１】従来の光電式煙感知器を示す側面断面図である。
【図２】従来の光電式煙感知器を示す側面断面図である。
【図３】本発明の第１実施形態の光電式煙感知器を示す側面断面図である。
【図４】図３の平面断面図である。
【図５】従来の光電式煙感知器を示す側面断面図である。
【図６】本発明の第２実施形態の光電式煙感知器を示す側面断面図である。
【図７】従来の光電式煙感知器の発光素子の光源の特性を示すグラフである。
【図８】本発明の第２実施形態の光電式煙感知器の発光素子の光源の特性を示すグラフである。
【図９】本発明の実施例に係る実験結果を示す表である。
【図１０】本発明の第１変形例に係る光電式煙感知器の平面断面図である。
【図１１】本発明の第２変形例に係る光電式煙感知器の平面断面図である。
【符号の説明】
【００２４】
３  平箱部
３ａ  筺体
３ｂ  検出領域側内壁
３ｃ  側壁面
３ｄ  側壁面
８  発光素子
９  直接受光素子
１７ラビリンス
２５  突起部
３１  光電式煙感知器
３２，３３  反射部材
３２ａ、３３ａ  反射面
４１  発光素子
４２  受光素子
４３  遮蔽板
４４  レンズ
４５  受光素子収容部
４７  反射部材
４７ａ  反射面
４８  反射部材
４８ａ  反射面
【発明を実施するための最良の形態】
【００２５】
以下に、本発明の実施形態について説明する。本発明の光電式煙感知器は、一般家庭や公共施設等の人が集まる場所、工場の半導体製造装置、工作機械、配電盤、工業用制御器などの、火災が発生する可能性のある機器等に設置できる高感度の煙検知器である。【００２６】
（Ａ）第１実施形態
本実施形態に係る光電式煙感知器の特徴は、反射部材を設けた点にある。なおここでは、当該反射部材を、従来技術と比較しながら説明するために、まず図２に基づいて全体的に本願発明と同じ構成の従来の光電式煙感知器を説明し、次いで図３に基づいて本実施形態の光電式煙感知器を説明する。図２の従来の光電式煙感知器は、本願発明の基になった光電式煙感知器である。本願発明は、この図２の光電式煙感知器を改良したものである。なお、本実施形態の光電式煙感知器では、発光素子８から出射した検査光の光路は図２の場合と違っているが、図３では、図２の構成の光電式煙感知器に本発明の反射部材を設けることを示すために、検査光の光路はそのままにしている。【００２７】
図２の光電式煙感知器は、全体的には、上述した図１の光電式煙感知器とほぼ同様の構成を有している。図２の光電式煙感知器と図１の光電式煙感知器の相違点は主に、円筒部２と、側面小孔７と、ラビリンス片２０と、防虫網２１とを有するか否かである。他の部分は、図１の光電式煙感知器と同様の構成を有している。このため、同一部材には、同一符号を付して、その説明を省略する。なお、図２の光電式煙感知器では、側面小孔７の代わりに、上面に小孔２４が設けられている。また、光電式煙感知器を具体的に設置する場合には、本実施形態で説明する構成以外にも必要な構成があり得るが、それらはすべて公知の構成であるため、ここでは省略する。【００２８】
この図２の構成の光電式煙感知器では、図２中の矢印のように、発光素子８から出射した検査光は、平箱部３の筺体３ａの検出領域側内壁３ｂで反射して、その一部の反射光が直接受光素子９に入射する。さらに、受光素子９の開口部に設けられた突起部２５やラビリンス１７の突起部１７ａで反射した反射光も、受光素子９に入射する場合がある。これらの光は、ノイズとなり、光電式煙感知器での検査精度を低下させてしまう。【００２９】
本実施形態の光電式煙感知器は、この受光素子９に入射する反射光（発光素子８から出射した検査光の反射光）を制御するものである。即ち、本実施形態の光電式煙感知器は、主に検出領域側内壁３ｂで反射する反射光を制御するものである。具体的には、図３，４に示すように、光電式煙感知器３１内に反射部材３２，３３を設けた。この反射部材３２，３３は、上記発光素子８から出射した検査光を、上記受光素子９に入射しないように、この受光素子９からそらせて反射させる部材である。反射部材３２，３３は、上記検出領域ＡＲ（図１参照）を挟んで上記発光素子８と対向する位置である、筺体３ａの検出領域側内壁３ｂに設けられている。反射部材３２，３３は、図３に示すように、検出領域側内壁３ｂの上下方向全域に設けられている。さらに、反射部材３２，３３は、図４に示すように、平面形状がＶ字型に傾斜した反射面３２ａ、３３ａを備えている。この反射面３２ａ、３３ａは、発光素子８から出射した検査光を、受光素子９に向かわない方向に、受光素子９からそらせて反射させるための面である。反射面３２ａは、反射面３３ａよりも大きく形成されている。反射面３２ａは、筺体３ａの一方の側壁面３ｃ側に設けられて、広い面積を占めている。反射面３３ａは、筺体３ａの他方の側壁面３ｄ側に設けられて、反射面３２ａよりも狭い面積を占めている。これにより、発光素子８から出射した検査光は、２つの反射面３２ａ、３３ａで変則的に反射するようになっている。そして、検査光を２つの反射面３２ａ、３３ａで変則的に反射させることで、図４のように、反射光が、受光素子９に向かわない方向に（受光素子９からそらせて）反射するようになっている。２つの反射面３２ａ、３３ａの面積や傾斜角は、発光素子８との関係で、反射光が受光素子９に向かわないように設定する。【００３０】
なお、反射光の中には、Ｖ字型の反射面３２ａ、３３ａで、２回反射することで、１８０度方向を変えて反射する光もある。しかし、検査光が、２回反射すると、輝度が大幅に減衰して、光量が大幅に減少する。このため、２回反射した反射光（二次反射光）が受光素子９に入射しても、極めて弱い光になるため、問題にならない。【００３１】
また、上述した構成以外の部分は、特に限定されるものではない。本願発明の光電式煙感知器に組み込むことができる構成（既存の光電式煙感知器の周辺構成）はすべて本願発明に適用することができる。【００３２】
以上のように構成された光電式煙感知器では、次のように作用する。【００３３】
発光素子８から検出領域ＡＲに向けて出射した検査光は、当該検出領域ＡＲを透過して反射部材３２，３３を照射する。また、側壁面３ｃ，３ｄを照射する検査光もあるが、この光は、側壁面３ｃ，３ｄで反射して反射部材３２，３３を照射する。【００３４】
反射部材３２，３３では、Ｖ字型の反射面３２ａ、３３ａで、光を変則的に反射させて、受光素子９に向かう反射光を無くす。反射光の一部は受光素子９に向かうが、そのような光は、上述のように２回以上反射して大幅に減衰しているため、問題にならない。【００３５】
反射面３２ａ、３３ａで反射された反射光は、対向する反射面３３ａ、３２ａか、側壁面３ｃ，３ｄを照射する。そして、反射面３３ａ、３２ａで反射した反射光は、ほとんどが側壁面３ｃ，３ｄを照射して、この側壁面３ｃ，３ｄで反射する。また、側壁面３ｃ，３ｄで反射した反射光も、ほとんどが対向する側壁面３ｃ，３ｄを照射して、再び反射する。これにより、検査光の反射光は、検出領域ＡＲの周辺に集まって反射を繰り返し、ほとんど受光素子９に入射しなくなる。【００３６】
この状態で、外部から煙が侵入して、検出領域ＡＲ付近に達すると、発光素子８からの検査光が煙に当たって散乱し、その散乱光が受光素子９に入射して、煙を検知する。このとき、検出領域ＡＲの周辺にも反射光が分布しているため、この部分でも散乱光が発生して、平箱部３の筺体３ａ内の散乱光が増加する。【００３７】
これにより、ノイズになる反射光が発光素子８に入射するのを大幅に減少させることができると共に煙による散乱光を増加させることができるため、受光素子９が、煙をより高精度に検出することができるようになる。【００３８】
この結果、従来の光電式煙感知器と同様に装置を小型に保ちながら、さらに高い精度で煙を検知することができるようになる。【００３９】
（Ｂ）第２実施形態
次に、本発明の第２実施形態について説明する。【００４０】
本実施形態では、図２の光電式煙感知器に対して、光源と、遮蔽板と、ラビリンス等の突起部とを改良したものである。なお、図５は、従来の発光素子８、受光素子９及び遮蔽板１５を備えた光電式煙感知器における、発光素子８の検査光の照射角と、受光素子９の視野角との重複状態を示した図である。図６は、本実施形態の発光素子４１、受光素子４２及び遮蔽板４３を備えた光電式煙感知器における、発光素子４１の検査光の照射角と、受光素子４２の視野角との重複状態を示した図である。【００４１】
本実施形態では、上記発光素子４１の光源の光量を増加させた。さらに、光源の指向性を強めた。検査光の出射角度も絞った。具体的には、図７の従来の光源に比べて図８のように、指向性を強めて、細い光にした。即ち、従来の検査光よりも細くて強い検査光にした。【００４２】
遮蔽板４３は、上記発光素子４１と受光素子４２との間に設けられて、発光素子４１からの検査光が直接受光素子４２に入射するのを防止するための部材である。【００４３】
遮蔽板４３は、上記発光素子４１側に設けられてこの発光素子４１側に近づけ、受光素子４２から遠ざけている。【００４４】
受光素子４２は、そのレンズ４４の焦点距離を短くして受光素子収容部４５の全長を縮めて、当該受光素子４２を上記遮蔽板４３から遠ざけるように構成されている。これにより、受光素子４２の前方を広げて、光入射角度を広げている。この光入射角度は、光が入射できる角度、即ち平箱部３の筺体３ａ内から受光素子４２に入射する散乱光の入射角である。この光入射角度を広げることにより、受光素子４２に取り込むことができる散乱光の量、即ち信号量を増やしている。【００４５】
受光素子収容部４５内のうちレンズ４４の内側には、傾斜部材４５ａが設けられている。傾斜部材４５ａは、レンズ４４の周縁部を内側から覆うように配設されている。傾斜部材４５ａの表面には、円錐状（テーパ状）の傾斜面４５ｂが設けられている。この傾斜面４５ｂは、受光素子収容部４５内に入射した反射光を受光素子収容部４５外へ反射するための反射面である。発光素子４１からの検査光が筺体３ａ内で反射した場合、その反射光はほとんど上記遮蔽板４３等により遮られるが、一部は受光素子収容部４５内に入射することがある。そして、このような反射光は、レンズ４４の周辺に入射することが多い。このため、レンズ４４の周辺に設けた傾斜面４５ｂが、受光素子収容部４５内に入射した反射光を外へ反射させて、受光素子４２に入射するのを防止している。なお、この傾斜面４５ｂは、光を反射できればよいが、効率的に反射させるために鏡面仕上げにしてもよい。【００４６】
さらに、図５に示すラビリンス片１７の突起部１７ａと、受光素子４２の開口の突起部２５は、無くしている。これらの突起部１７ａ，２５は、検査光を反射させて、受光素子４２に入射させる可能性があるためである。【００４７】
以上の構成の光電式煙感知器では、煙が検出領域ＡＲ（図１参照）に流入すると、強い光である検査光がこの煙に当たって散乱光を発する。この散乱光は、検査光に比例して強い光になり、受光素子４２に入射する。【００４８】
さらに、受光素子４２は、光入射角度が広いため、より多くの散乱光を取り込んで、煙を検知する。【００４９】
これにより、ノイズになる反射光が受光素子４２に入射するのを大幅に減少させることができると共に受光素子４２に入射する散乱光を増加させることができるため、煙をより高精度に検出することができるようになる。【００５０】
この結果、従来の光電式煙感知器と同様に装置を小型に保ちながら、さらに高い精度で煙を検知することができるようになる。【００５１】
（Ｃ）実施例
次に、上記第１実施形態と第２実施形態のすべての構成要件を組み合わせた光電式煙感知器を用いた実験結果について、従来の光電式煙感知器と比較して説明する。【００５２】
本実施例の光電式煙感知器の発光素子４１として、以下の性能を備えたものを用いた。即ち、出力は１１ｍＷ、印加電圧は９Ｖ、印加電流は５５０ｍＡの発光素子を用いた。【００５３】
また、従来の光電式煙感知器の発光素子としては、出力は１１ｍＷ、印加電圧は９Ｖ、印加電流は３００ｍＡの発光素子を用いた。これにより、本実施例の発光素子４１は、従来の発光素子よりも光量が増えている。【００５４】
また、本実施例の光電式煙感知器の受光素子４２として、以下の性能を備えたものを用いた。即ち、最大感度波長は９４０ｎｍであり、色温度が２８５６Ｋで、標準タングステン電球のＥＶ表示値１０００Ｌｘのときの開放電圧が０．３５Ｖ、短絡電流が７５μＡの性能の受光素子を用いた。【００５５】
従来の光電式煙感知器の受光素子としても、上記本実施例の受光素子４２と同様の受光素子を用いた。【００５６】
これらの光電式煙感知器を用いて、検知濃度５％／ｍの煙で実験を行った。この実験の結果は、図９の表のようになった。なおここでは、従来の光電式煙感知器と、本発明の反射部材３２，３３を備えた平箱部３に、従来の発光素子及び受光素子を取り付けた光電式煙感知器と、本実施例の光電式煙感知器の３つの光電式煙感知器について実験した。【００５７】
図９の表において、ＡＤＬは、従来の光電式煙感知器で１０８であったものが、本発明の平箱部３を用いた従来の光電式煙感知器では１３まで低減した。本実施例の光電式煙感知器では２５となり、従来の光電式煙感知器よりも大幅に低減した。即ち、本発明の平箱部３を用いた従来の光電式煙感知器で１３まで低減したため、本実施例の発光素子４１の光量を増やすことができるようになった。この結果、本実施例の光電式煙感知器では、ＡＤＬを従来の光電式煙感知器よりも大幅に低減させることができた。 
また、ＡＤＨは、従来の光電式煙感知器で１４７であったものが、本発明の平箱部３を用いた従来の光電式煙感知器では９０となった。本実施例の光電式煙感知器では１０９となった。この結果、信号量には大きな変化はなかった。【００５８】
これにより、ＡＤＨ−ＡＤＬは、従来の光電式煙感知器で３９であったものが、本発明の平箱部３を用いた従来の光電式煙感知器では７７となった。本実施例の光電式煙感知器では８４となった。１％／ｍの変化量に換算すると、従来の光電式煙感知器で７．８であったものが、本発明の平箱部３を用いた従来の光電式煙感知器では１５．４となった。本実施例の光電式煙感知器では１７となった。この結果、変化量が従来の比べてほぼ２倍に増加した。さらに、Ｓ／Ｎ比は、従来の光電式煙感知器で０．３７であったものが、本発明の平箱部３を用いた従来の光電式煙感知器では５．９３となった。本実施例の光電式煙感知器では３．３となった。この結果、本実施例の光電式煙感知器では、従来の光電式煙感知器に比べて、耐ノイズ性が大幅に向上した。【００５９】
これにより、従来の光電式煙感知器に比べて本発明の平箱部３を用いた従来の光電式煙感知器は高い感度で煙を感知しており、本実施例の光電式煙感知器も、高い感度で煙を感知していることが分かる。本実施例の光電式煙感知器は、特にＡＤＨ−ＡＤＬの値が、本発明の平箱部３を用いた従来の光電式煙感知器よりもさらに高くなっており、高い感度で煙を感知していることが分かる。【００６０】
この結果、本実施例の光電式煙感知器は、高い精度で煙を感知することができるようになる。【００６１】
（Ｄ）変形例
上記各実施形態等に係る発明では、反射部材３２，３３等の構成要件を備えて構成したが、第１実施形態、第２実施形態及びこれらを組み合わせた実施例の３つの態様の組み合わせに限らず、他の組み合わせにしてもよい。上記各実施形態に記載の発明を構成する要件のうち、いずれか１つ又はいずれか２つ以上を適宜組み合わせて光電式煙感知器を構成してもよい。この場合も、上記各実施形態と同様の作用、効果を奏することができる。【００６２】
上記第１実施形態では、反射部材３２，３３により、Ｖ字型の反射面３２ａ、３３ａを備えたが、図１０に示すように、１つの大きな反射部材４７によって１つ反射面４７ａを備えるようにしてもよい。これにより、検査光は、反射面４７ａで反射してすべて側壁面３ｄを照射してこの側壁面３ｄで反射される。そして、二次反射光は大幅に減衰する。これにより、発光素子からの検査光を、受光素子に向かわない方向に反射させる。この構成の場合も、上記第１実施形態と同様の作用、効果をすることができる。【００６３】
また、図１１に示すように、反射部材４８によって湾曲した反射面４８ａを備えるようにしてもよい。さらに、反射面４８ａを、反射望遠鏡の凹面鏡のように、反射光が検出領域ＡＲやその周辺に集まるように形成してもよい。この反射面４８ａで、発光素子からの検査光を、検出領域に集まる方向に反射させる。即ち、筺体３ａ内に流入した煙による散乱光をより多く発生させるように、検出領域ＡＲやその周辺に、検査光及び反射光を集まるように、反射面４８ａを湾曲させて構成してもよい。この場合において、反射面４８ａを鏡面にしてもよい。反射面４８ａを鏡面にすることで、より多くの反射光を検出領域ＡＲやその周辺に集めることができる。【００６４】
これらの構成により、さらに高い精度で煙を検知することができるようになる。
【図１】
2013030918.tif 000003
【図２】
2013030918.tif 000004
【図３】
2013030918.tif 000005
【図４】
2013030918.tif 000006
【図５】
2013030918.tif 000007
【図６】
2013030918.tif 000008
【図７】
2013030918.tif 000009
【図８】
2013030918.tif 000010
【図９】
2013030918.tif 000011
【図１０】
2013030918.tif 000012
【図１１】
2013030918.tif 000013
【国際調査報告】
2013030918.tif 000014
2013030918.tif 000015
2013030918.tif 000016
2013030918.tif 000017
2013030918.tif 000018
2013030918.tif 000019
2013030918.tif 000020